(57)【要約】【課題】既設の給湯システムに潜熱回収型給湯器を取り付ける際の取付工事の煩雑さを軽減できる給湯システム、排水ユニット、及び排水ユニットの取付方法を提供する。【解決手段】既設の給湯システムに、排水ユニット３を取り付ける場合、工事業者は、給湯器２の制御基板４０を、風呂リモコン５と排水ユニット３に対して並列に接続する必要がある。排水ユニット３のハウジング３Ａから外部に突出する４芯ケーブル６２の端部から４本の信号線７２〜７５が引き出されている。信号線７２，７３で一系統、信号線７４，７５で一系統の信号線路を夫々構成する。工事業者は、これら２系統の信号線路のうち一方を、制御基板４０から引き出された第１信号線路１１に接続し、他方を、風呂リモコン５から引き出された第２信号線路１２に接続する。よって、工事業者は取付工事を簡単に行うことができる。【選択図】図２
2015010720.tif 000002
【特許請求の範囲】
【請求項１】
給湯器の熱交換によって生じたドレンを中和器で中和した後、一旦貯留するタンクと、湯を循環させる流路又は浴槽に給湯する流路と、前記タンクからドレンを流すドレン流路とを切り替える流路切替え弁とを備え、前記給湯器に設けた制御部からの指示に基づき、前記流路切替え弁を前記ドレン流路に切り替え、前記湯を循環させる流路に接続された排水ユニットに設けられた排水切替え弁を駆動させることによって、前記ドレンを前記浴槽下の排水パンに排水するドレン排出機能を備え、且つ前記制御部とシリアル通信可能なリモコン装置を備えた給湯システムであって、
前記排水ユニットは、
ハウジングと、
前記ハウジング内に設けられ、前記制御部からの指示に基づき、前記排水切替え弁の駆動を制御するユニット制御部と、
前記ユニット制御部に接続され、前記ハウジング外に夫々引き出された二系統の信号線路と
を備え、
前記二系統の信号線路のうち一方の信号線路は、前記給湯器の前記制御部から引き出された第一信号線路に接続され、他方の信号線路は、前記リモコン装置から引き出された第二信号線路に接続され、
前記ハウジング内には、前記一方の信号線路と前記他方の信号線路を互いに接続する
接続部が設けられたことを特徴とする給湯システム。
【請求項２】
請求項１に記載の給湯システムに使用される排水ユニットであって、
ハウジングと、
前記ハウジング内に設けられ、前記制御部からの指示に基づき、前記排水切替え弁の駆動を制御するユニット制御部と、
前記ユニット制御部に接続され、前記ハウジング外に引き出された二系統の信号線路と、
前記ハウジング内に設けられ、前記一方の信号線路と前記他方の信号線路を互いに接続する接続部と
を備えたことを特徴とする排水ユニット。
【請求項３】
給湯器の熱交換によって生じたドレンを中和器で中和した後、一旦貯留するタンクと、湯を循環させる流路又は浴槽に給湯する流路と、前記タンクからドレンを流すドレン流路とを切り替える流路切替え弁とを備え、前記給湯器の制御部とリモコン装置とを信号線路を介して通信可能に接続する給湯システムに対して、前記制御部からの指示に基づき、前記ドレン流路を流れるドレンを前記浴槽下の排水パンに排出する排水ユニットを取り付ける排水ユニットの取付方法であって、
前記ドレンを前記排水パンに排水する排出流路に切り替え可能な排水切替え弁を備える前記排水ユニットを、前記湯を循環させる流路に取り付けるユニット取付工程と、
前記信号線路を分断して、前記制御部から引き出された第一信号線路と、前記リモコン装置から引き出された第二信号線路とに分ける分断工程と、
前記排水ユニットのハウジングから引き出され、前記排水切替え弁の駆動を制御するユニット制御部に接続された二系統の信号線路のうちの一方の信号線路を、前記分断工程で分けた前記第一信号線路に接続し、他方の信号線路を、前記分断工程で分けた前記第二信号線路に接続する接続工程と
を備え、
前記ハウジング内において、前記二系統の信号線路を分岐して互いに接続することによって、前記制御部と前記リモコン装置とを通信可能にすることを特徴とする排水ユニットの取付方法。
【発明の詳細な説明】
【技術分野】
【０００１】
本発明は、給湯システム、排水ユニット、及び排水ユニットの取付方法に関する。
【背景技術】
【０００２】
従来、既設の集合住宅等に設置された給湯器を、潜熱回収型給湯器に交換する場合がある。潜熱回収型の給湯器はドレン排出を適正に行うこととされているので、ドレン排出の為の工事が必要である。ドレンを浴槽側に導くにはドレン配管が必要である。例えば、ドレン配管を給湯器の既設の追焚配管に兼用させれば、新たな配管工事は不要となる。追焚配管をドレン配管に兼用させた場合、追焚配管からドレンを排出させるには、流路切替えの為の排水ユニットを新たに設置する必要がある。排水ユニットは、追焚配管の途中に接続する三方弁と、該三方弁を駆動制御する電装基板を備える。三方弁は、追焚配管から浴槽に向けて流れる流路と、追焚配管から浴槽下の排水パンに流れる流路とを相互に切替可能な弁である。電装基板は給湯器に設けられた制御基板と接続して通信する必要がある。
【０００３】
図３に示す従来の給湯システム１００では、潜熱回収型の給湯器２の制御基板４０に対して、台所に設置された台所リモコン４と、浴室内に設置された風呂リモコン５とが、第１〜第３信号線路１１〜１３を用いて夫々接続され、互いにシリアル通信を行っている。シリアル通信とは、データを送受信するための信号線を１本、又は２本使用して、データを１ビットずつ連続的に送受信する通信方式である。第１信号線路１１は、制御基板４０から引き出された２本の信号線１１Ａ，１１Ｂで構成されている。第２信号線路１２は、台所リモコン４と制御基板４０とを互いに接続する２本の信号線１２Ａ，１２Ｂで構成されている。第３信号線路１３は、風呂リモコン５から引き出された２本の信号線１３Ａ，１３Ｂで構成されている。信号線１１Ａ，１１Ｂと、信号線１３Ａ，１３Ｂとは、一対の圧着端子９９にて互いに接続されている。
【０００４】
このような給湯システム１００に、排水ユニット３００を取り付けるには、通常、給湯器２に接続された第１信号線路１１を、風呂リモコン５と、排水ユニット３００の電装基板（図示略）とに対して並列に夫々接続することが行われる。例えば、特許文献１が開示する弁及び熱源装置では、切替弁（排水ユニット）の弁制御部から引き出されたシリアル信号線を、熱源装置の制御装置と浴室リモコン装置とをつなぐシリアル信号線路から分岐するシリアル信号線路に対しコネクタで接続する。実際の施工現場では、例えば、図３に示すように、圧着端子９９で接続していた第１信号線路１１と第３信号線路１３の接続を切断し、図４に示すように、給湯器２の制御基板４０から引き出された第１信号線路１１を、別部品である中継ハーネス１３０を用いて、風呂リモコン５から引き出された第３信号線路１３と、排水ユニット３００の電装基板に接続されたコネクタ１７０とに対して、並列に夫々接続することが行われていた。
【先行技術文献】
【特許文献】
【０００５】
【特許文献１】特開２０１１−７４４０号公報
【発明の概要】
【発明が解決しようとする課題】
【０００６】
しかしながら、上記施工方法では、別部品である中継ハーネス１３０を使用しなければならないので、別部品運搬の手間がかかる上、取付工事が煩雑であるという問題点があった。
【０００７】
本発明の目的は、既設の給湯システムに潜熱回収型給湯器を取り付ける際の取付工事の煩雑さを軽減できる給湯システム、排水ユニット、及び排水ユニットの取付方法を提供することである。
【課題を解決するための手段】
【０００８】
本発明の請求項１に係る給湯システムは、給湯器の熱交換によって生じたドレンを中和器で中和した後、一旦貯留するタンクと、湯を循環させる流路又は浴槽に給湯する流路と、前記タンクからドレンを流すドレン流路とを切り替える流路切替え弁とを備え、前記給湯器に設けた制御部からの指示に基づき、前記流路切替え弁を前記ドレン流路に切り替え、前記湯を循環させる流路に接続された排水ユニットに設けられた排水切替え弁を駆動させることによって、前記ドレンを前記浴槽下の排水パンに排水するドレン排出機能を備え、且つ前記制御部とシリアル通信可能なリモコン装置を備えた給湯システムであって、前記排水ユニットは、ハウジングと、前記ハウジング内に設けられ、前記制御部からの指示に基づき、前記排水切替え弁の駆動を制御するユニット制御部と、前記ユニット制御部に接続され、前記ハウジング外に夫々引き出された二系統の信号線路とを備え、前記二系統の信号線路のうち一方の信号線路は、前記給湯器の前記制御部から引き出された第一信号線路に接続され、他方の信号線路は、前記リモコン装置から引き出された第二信号線路に接続され、前記ハウジング内には、前記一方の信号線路と前記他方の信号線路を互いに接続する接続部が設けられたことを特徴とする。
【０００９】
本発明の請求項２に係る発明の排水ユニットは、請求項１に記載の給湯システムに使用される排水ユニットであって、ハウジングと、前記ハウジング内に設けられ、前記制御部からの指示に基づき、前記排水切替え弁の駆動を制御するユニット制御部と、前記ユニット制御部に接続され、前記ハウジング外に引き出された二系統の信号線路と、前記ハウジング内に設けられ、前記一方の信号線路と前記他方の信号線路を互いに接続する接続部とを備えたことを特徴とする。
【００１０】
本発明の請求項３に係る発明の排水ユニットの取付方法は、給湯器の熱交換によって生じたドレンを中和器で中和した後、一旦貯留するタンクと、湯を循環させる流路又は浴槽に給湯する流路と、前記タンクからドレンを流すドレン流路とを切り替える流路切替え弁とを備え、前記給湯器の制御部とリモコン装置とを信号線路を介して通信可能に接続する給湯システムに対して、前記制御部からの指示に基づき、前記ドレン流路を流れるドレンを前記浴槽下の排水パンに排出する排水ユニットを取り付ける排水ユニットの取付方法であって、前記ドレンを前記排水パンに排水する排出流路に切り替え可能な排水切替え弁を備える前記排水ユニットを、前記湯を循環させる流路に取り付けるユニット取付工程と、前記信号線路を分断して、前記制御部から引き出された第一信号線路と、前記リモコン装置から引き出された第二信号線路とに分ける分断工程と、前記排水ユニットのハウジングから引き出され、前記排水切替え弁の駆動を制御するユニット制御部に接続された二系統の信号線路のうちの一方の信号線路を、前記分断工程で分けた前記第一信号線路に接続し、他方の信号線路を、前記分断工程で分けた前記第二信号線路に接続する接続工程とを備え、前記ハウジング内において、前記二系統の信号線路を分岐して互いに接続することによって、前記制御部と前記リモコン装置とを通信可能にすることを特徴とする。
【発明の効果】
【００１１】
請求項１に係る発明の給湯システムでは、排水ユニットから引き出される二系統の信号線路を、給湯器及びリモコン装置に夫々接続できる。排水ユニットを既設の給湯システムに取り付ける際に、中継ハーネスのような別部品を用いる必要がない。よって、本システムは、従来の配線接続工事の煩雑さを軽減できる上、施工現場に別部品を運搬する手間を無くすことができる。
【００１２】
請求項２に係る発明の排水ユニットでは、排水ユニットから引き出される二系統の信号線路を、給湯器及びリモコン装置に夫々接続できる。排水ユニットを既設の給湯システムに取り付ける際に、中継ハーネスのような別備品を用いる必要がない。よって、排水ユニットは、従来の配線接続工事の煩雑さを軽減できる上、施工現場に別部品を運搬する手間を無くすことができる。
【００１３】
請求項３に係る発明の排水ユニットの取付方法では、排水ユニットから引き出される二系統の信号線路を、給湯器及びリモコン装置に夫々接続できる。排水ユニットを既設の給湯システムに取り付ける際に、中継ハーネスのような別部品を用いる必要がない。よって、本方法は、従来の配線接続工事の煩雑さを軽減できる上、施工現場に別部品を運搬する手間を無くすことができる。
【図面の簡単な説明】
【００１４】
【図１】給湯システム１の構成図である。
【図２】給湯器２、排水ユニット３、台所リモコン４、及び風呂リモコン５の配線接続を示す図である。
【図３】排水ユニット３００を接続する前の従来の給湯システム１００の構成図である。
【図４】中継ハーネス１３０を用いて、排水ユニット３００を接続した従来の給湯システム１００の構成図である。
【発明を実施するための形態】
【００１５】
以下、本発明の一実施形態である給湯システム１、排水ユニット３、及び排水ユニット３の取付方法について、図面を参照して説明する。図１に示す給湯システム１は、例えばアパート又はマンション等の集合住宅に適応したものである。なお、給湯システム１は、図３に示す給湯システム１００と一部構成が同じであるので、同じ構成部分については、図３と同符号を付して説明する。
【００１６】
図１を参照し、給湯システム１の構成を説明する。給湯システム１は、給湯器２、排水ユニット３、台所リモコン４、及び風呂リモコン５を備える。給湯器２は潜熱回収型である。給湯器２は、台所等にある給湯栓（図示略）に湯を供給し、且つ浴室８に設置された浴槽７に湯を供給可能である。さらに、給湯器２は浴槽７内の湯の追焚機能を備える。追焚機能とは、浴槽７内の湯が冷めたときに、さし湯をせずに沸かし直す機能をいう。排水ユニット３は、浴槽７の外側近傍に設けられ、第１信号線路１１を介し、給湯器２の制御基板４０に接続されている。排水ユニット３は、制御基板４０の制御を受け、給湯器２から排出されるドレンを、後述する排出管６６を介して浴槽７下方に設けた排水パン９に排出する機能を備える。
【００１７】
台所リモコン４は、台所の壁面に設置され、第２信号線路１２を介し、給湯器２の制御基板４０に接続されている。ユーザは台所において、台所リモコン４を用いて、給湯温度の調節、湯の供給、及び追焚機能のオンオフ操作等が可能である。風呂リモコン５は、浴室８の壁面に設置され、第３信号線路１３、排水ユニット３、及び第１信号線路１１を介して、給湯器２の制御基板４０に接続されている。ユーザは浴室８において、風呂リモコン５を用いて、湯の供給、給湯温度の調節、及び追焚機能のオンオフ操作等が可能である。なお、風呂リモコン５と制御基板４０との間を通信可能に接続する配線経路の詳細については後述する。
【００１８】
上述のように、台所リモコン４及び風呂リモコン５は、第１〜第３信号線路１１〜１３を夫々介することによって、給湯器２の制御基板４０に対して相互にシリアル通信を行うことができる。シリアル通信とは、データを送受信する為の信号線を使用して、データを１ビットずつ連続的に送受信する通信方式である。本実施形態の第１〜第３信号線路１１〜１３は、データを送受信するための信号線を夫々２本ずつ備えている。第１信号線路１１は、信号線１１Ａ，１１Ｂ（図２参照）を組とする。第２信号線路１２は、信号線１２Ａ，１２Ｂ（図２参照）を組とする。第３信号線路１３は、信号線１３Ａ，１３Ｂを組とする。各信号線１１〜１３の接続態様については後述する。
【００１９】
図１を参照し、給湯器２の構造を説明する。給湯器２は、器具（図示略）内に、給湯部１５、注湯部１６、追焚部１７、ドレン回収部１８、制御基板４０等を備える。
【００２０】
先ず、給湯部１５について説明する。給湯部１５は、図示しないバーナ、主熱交換器、副熱交換器等を備える。主熱交換器はバーナの燃焼排気中の顕熱を回収し通水の間で熱交換を行い、副熱交換器はバーナの燃焼排気中の潜熱を回収して通水との間で熱交換を行う。給湯部１５は、主熱交換器及び副熱交換器の熱交換によって生成した湯を注湯部１６に供給する。
【００２１】
次に、注湯部１６について説明する。注湯部１６は、給湯部１５から供給された湯を、追焚部１７に注湯する機能を備える。注湯部１６は、注湯管２１，２２、三方弁２３等を備える。注湯管２１には、給湯部１５から供給された湯が流入する。注湯管２１の湯水の流れ方向の上流側の端部には、水量調整弁２５が設けられている。水量調整弁２５は制御基板４０の制御を受け、湯の流入量を調整する。注湯管２１には、逆止弁２６，２８、流量計２７が各々設けられている。逆止弁２６は後述する排水調整部３０の下流側、逆止弁２８及び流量計２７は水量調整弁２５の近傍に夫々配置されている。逆止弁２６，２８は、注湯管２１における湯の逆流を防止する。流量計２７は、注湯管２１を流れる湯の流量を計測する。流量計２７の計測値は、制御基板４０に出力される。
【００２２】
注湯管２１における水量調整弁２５の下流側近傍には、排水調整部３０が設けられている。排水調整部３０は、排水管３１と弁３２を備える。弁３２は排水管３１への流路を開閉するが、給水圧によって常時閉じられている。万が一、注湯管２１において湯が逆止弁２６を超えて逆流した場合、弁３２が給水圧の付勢方向とは反対側に付勢される。これにより、排水管３１への流路が開放されるので、注湯管２１において逆流した湯は、給湯部１５に逆流することなく、排水管３１から排出されるようになっている。
【００２３】
三方弁２３は、３つの開口２３Ａ，Ｂ，Ｃと弁駆動部３４を備える。開口２３Ａには、注湯管２２の湯水の流れ方向の上流側の端部が接続されている。開口２３Ｂには、ドレン回収部１８の後述する回収管５２のドレンの流れ方向の下流側の端部が接続されている。開口２３Ｃには、注湯管２１の下流側の端部が接続されている。弁駆動部３４は、制御基板４０の制御を受け、三方弁２３を駆動し、２３Ａ―２３Ｂ：閉、２３Ａ―２３Ｃ：開のパターンと、２３Ａ―２３Ｂ：開、２３Ａ―２３Ｃ：閉のパターンの何れか一方のパターンで各流路を開閉する。注湯管２２には、注湯管２１から三方弁２３を介して流れた湯が流入する。注湯管２２の下流側の端部は、追焚部１７に設けられた後述する三方弁３７の開口３７Ａに接続されている。これにより、給湯部１５から供給された湯は、注湯部１６を介して、追焚部１７に供給される。
【００２４】
次に、追焚部１７について説明する。追焚部１７は、浴槽７内の湯を循環して追焚する機能を備える。追焚部１７は、第１戻り管３６、三方弁３７、第２戻り管３８、自吸ポンプ３９、追焚用熱交換器４２、往き管４３等を備える。第１戻り管３６は、浴槽７から給湯器２に戻ってきた湯水を流入させる管である。第１戻り管３６の湯水の流れ方向の上流側の端部は、給湯器２に設けられた戻り口２Ａに接続されている。戻り口２Ａには、浴槽７に一端部が接続された配管９３の他端部が接続されている。よって、追焚機能の動作時、浴槽７内の湯は、配管９３を流れ、戻り口２Ａを介して第１戻り管３６に流入する。第１戻り管３６の下流側の端部は、三方弁３７の後述する開口３７Ｃに接続されている。第１戻り管３６の戻り口２Ａ近傍には、サーミスタ４６が設けられている。サーミスタ４６は、戻り口２Ａを流れる湯の戻り温度を検知し、制御基板４０に検知情報を出力する。
【００２５】
三方弁３７は、３つの開口３７Ａ，Ｂ，Ｃと弁駆動部４４を備える。開口３７Ａには、注湯管２２の下流側の端部が接続されている。開口３７Ｂには、第２戻り管３８の湯水の流れ方向の上流側の端部が接続されている。開口３７Ｃには、第１戻り管３６の下流側の端部が接続されている。弁駆動部４４は、制御基板４０の制御を受け、三方弁３７を駆動し、常時３７Ａ―３７Ｂ―３７Ｃ：開とし、ドレンを器具外に排出する場合にのみ、３７Ａ―３７Ｂ：開、３７Ａ―３７Ｃ：閉とする。
【００２６】
第２戻り管３８の下流側の端部は、追焚用熱交換器４２の入口に接続されている。追焚用熱交換器４２は、図示外の追焚用バーナの燃焼排気中の熱を回収して、器内に流入する湯との間で熱交換を行う。なお、追焚機能がオフされている間、追焚用バーナは消火されている。追焚用熱交換器４２の出口には、往き管４３の湯の流れ方向の上流側の端部が接続されている。自吸ポンプ３９は、第２戻り管３８の途中に設けられ、制御基板４０の制御を受け、第２戻り管３８に流入する湯を浴槽７に向けて供給する。また、第２戻り管３８において自吸ポンプ３９と追焚用熱交換器４２との間には、水流スイッチ４５が設けられている。水流スイッチ４５は、第２戻り管３８における湯の流れを検知し、制御基板４０に検知情報を出力する。
【００２７】
追焚用熱交換器４２で再加熱された湯は、往き管４３に流れる。往き管４３の下流側の端部は、給湯器２に設けられた往き口２Ｂに接続されている。往き管４３における往き口２Ｂ近傍には、サーミスタ４７が設けられている。サーミスタ４７は、往き口２Ｂを流れる湯の往き温度を検知し、制御基板４０に検知情報を出力する。制御基板４０は、湯の戻り温度、往き温度、及び設定温度等に基づき、追焚用バーナの燃焼を制御する。
【００２８】
次に、ドレン回収部１８について説明する。ドレン回収部１８は、給湯部１５の副熱交換器で生成したドレンを回収する機能を備える。ドレン回収部１８は、中和器５０、ドレンタンク５１、回収管５２等を備える。中和器５０は、給湯部１５の副熱交換器で生成されたドレンを中和剤で中和する。ドレンタンク５１は、中和器５０で中和されたドレンを一時的に貯留する。ドレンタンク５１の底に設けられた排出穴（図示略）には、回収管５２のドレンの流れ方向の上流側の端部が接続されている。回収管５２の下流側の他端部は、三方弁２３の開口２３Ｂに接続されている。回収管５２の途中には逆止弁５３が設けられている。逆止弁５３は、回収管５２を流れるドレンがドレンタンク５１内に逆流するのを防止する。給湯システム１におけるドレンの排出動作については後述する。
【００２９】
次に、制御基板４０について説明する。制御基板４０は、給湯器２の器具内に設けられ、ＣＰＵ及びメモリ等を備えたマイコン（図示略）を備える。制御基板４０は、台所リモコン４及び風呂リモコン５における各種操作、設定等に基づき、給湯システム１の給湯動作、追焚動作、及びドレンの排出動作等を制御する。
【００３０】
図１を参照し、排水ユニット３の構造を説明する。排水ユニット３は、ハウジング３Ａ、三方弁６０、電装基板６１、４芯ケーブル６２等を備える。三方弁６０は、ハウジング３Ａの外側に設けられ、３つの開口６０Ａ、６０Ｂ、６０Ｃと弁駆動部６５を備える。開口６０Ａには、配管９４の湯の流れ方向の下流側の端部が接続されている。配管９４の上流側の端部は、給湯器２の往き口２Ｂに接続されている。開口６０Ｂには、ドレンを排水パン９に排出する為の排出管６６が接続されている。開口６０Ｃには、バイパス管６７の湯の流れ方向の上流側の端部が接続されている。バイパス管６７の下流側の端部は、浴槽７に接続されている。弁駆動部６５は、三方弁６０（図示略）を駆動し、６０Ａ―６０Ｂ：閉、６０Ａ―６０Ｃ：開のパターン、６０Ａ―６０Ｂ：開、６０Ａ―６０Ｃ：閉のパターンのうちの何れか一方のパターンで各流路を開閉する。弁駆動部６５は、電装基板６１に接続されている。電装基板６１は、ハウジング３Ａ内に設けられ、給湯器２の制御基板４０の制御を受け、弁駆動部６５を制御する。
【００３１】
図１，図２に示すように、ハウジング３Ａ内において、電装基板６１には、４芯ケーブル６２の一端側に設けられた接続ケーブル７０を介して接続されている。４芯ケーブル６２は、後述する４本の信号線７２〜７５を束ねて被覆したものである。４芯ケーブル６２の前記一端側とは反対側の他端側は、ハウジング３Ａに設けられた貫通穴（図示略）から外部に突出している。４芯ケーブル６２の外部に突出する他端側から、後述する４本の信号線７２〜７５が引き出されている。
【００３２】
図２を参照し、電装基板６１の構成をより詳細に説明する。電装基板６１は、制御部７８、通信制御ＩＣ７９、受信回路８０、送信回路８１、第１基板側コネクタ８３、第２基板側コネクタ８４、ダイオードブリッジ８５等を備える。制御部７８は、給湯器２の制御基板４０の制御を受け、弁駆動部６５の駆動を制御する。通信制御ＩＣ７９は、制御部７８に接続され、風呂リモコン５及び制御基板４０との通信を制御する。受信回路８０は、通信制御ＩＣ７９に接続され、風呂リモコン５及び制御基板４０から、第１信号線路１１及び第３信号線路１３を介して夫々送信された各データを受信し、通信制御ＩＣ７９を介して制御部７８に受け渡す。送信回路８１は、通信制御ＩＣ７９に接続され、制御部７８から通信制御ＩＣ７９を介して出力されるデータを、４芯ケーブル６２、第１信号線路１１及び第３信号線路１３を介して制御基板４０又は風呂リモコン５に送信する。第１基板側コネクタ８３及び第２基板側コネクタ８４は、電装基板６１の一端側に並んで設けられている。第１基板側コネクタ８３及び第２基板側コネクタ８４に接続された各配線は、ダイオードブリッジ８５の２つの入力端子に夫々接続されている。さらに、ダイオードブリッジ８５のマイナス側の出力端子はＧＮＤに接地され、プラス側の出力端子は受信回路８０及び送信回路８１に各々接続されている。
【００３３】
図２を参照し、接続ケーブル７０の構成について説明する。接続ケーブル７０は、４芯ケーブル６２のハウジング３Ａ内に位置する一端部に設けられている。接続ケーブル７０は、４芯ケーブル６２の一端部から引き出された４本の信号線７２〜７５、及び第１コネクタ９１及び第２コネクタ９２で構成されている。第１コネクタ９１には、一組の信号線７２と７４がカシメによって接続されている。よって、信号線７２と７４は互いに接続されている。第２コネクタ９２には、一組の信号線７３と７５がカシメによって接続されている。よって、信号線７３と７５は互いに接続されている。そして、第１コネクタ９１は、第１基板側コネクタ８３に接続され、第２コネクタ９２は、第２基板側コネクタ８４に接続されている。
【００３４】
そして、４芯ケーブル６２のハウジング３Ａから外部に突出する他端側から引き出された４本の信号線７２〜７５のうち、信号線７２，７３が、一対の圧着端子９６を介して、第１信号線路１１の２本の信号線１１Ａ，１１Ｂに夫々接続され、信号線７４，７５が、一対の圧着端子９７を介して、第３信号線路１３の２本の信号線１３Ａ，１３Ｂに夫々接続されている。
【００３５】
これにより、給湯器２の制御基板４０と排水ユニット３の電装基板６１との間は、第１信号線路１１、及び信号線７２，７３を介して、互いに接続されている。風呂リモコン５と排水ユニット３の電装基板６１との間は、第３信号線路１３、及び信号線７４，７５を介して、互いに接続されている。そして、第１コネクタ９１において、信号線７２と信号線７４がカシメによって接続され、第２コネクタ９２において、信号線７３と信号線７５がカシメによって接続されていることによって、給湯器２の制御基板４０と風呂リモコン５の間は、第１信号線路１１、信号線７２〜７５、及び第３信号線路１３を介して、互いに接続されている。
【００３６】
図１を参照し、給湯システム１の動作を説明する。ここでは、風呂給湯動作、追焚動作、ドレン排出動作の３つの動作を順に説明する。
［風呂給湯動作］
ユーザは、浴槽７に湯を貯めようとする場合、台所リモコン４（又は風呂リモコン５）を用いて、浴槽７への給湯開始の操作を行う。すると、台所リモコン４から第２信号線路１２を介して制御基板４０に操作情報が送信される。制御基板４０は、受信した操作情報に基づき、給湯部１５による給湯動作を開始する。さらに、制御基板４０は、三方弁２３及び三方弁３７を駆動制御する。三方弁２３は、２３Ａ―２３Ｂ：閉、２３Ａ―２３Ｃ：開となる。三方弁３７は、３７Ａ―３７Ｂ―３７Ｃにおいて常時開である。さらに、制御基板４０から排水ユニット３の電装基板６１に向けて、三方弁６０の制御情報が出力される。電装基板６１の制御部７８は、受信した制御情報に従い、三方弁６０を駆動制御する。三方弁６０は、６０Ａ―６０Ｂ：閉、６０Ａ―６０Ｃ：開となる。
【００３７】
そして、給湯部１５から給湯された湯は、注湯部１６に入り追焚部１７に流入する。追焚部１７に流入した湯は、第１戻り管３６と第２戻り管３８に夫々分流される。第２戻り管３８に流れた湯は、追焚用熱交換器４２を通過し、往き管４３を流れ、往き口２Ｂを介して配管９４に流れる。配管９４に流れた湯は、三方弁６０の開口６０Ａ−６０Ｃの流路を流れ、バイパス管６７に流入し、浴槽７内にそのまま供給される。一方、三方弁３７の開口３７Ｃから第１戻り管３６に流れた湯は、戻り口２Ａを介して配管９３に流れ、浴槽７にそのまま供給される。このようにして、浴槽７に湯が供給される。浴槽７に予め設定された所定量の湯が供給されると、制御基板４０は、給湯部１５の給湯動作を停止する。
【００３８】
［追焚動作］
ユーザは、浴槽７内の湯を追焚したい場合、台所リモコン４（又は風呂リモコン５）を用いて、追焚機能をオンする。すると、台所リモコン４から第２信号線路１２を介して制御基板４０に操作情報が送信される。制御基板４０は、受信した操作情報に基づき、追焚部１７による追焚動作を開始する。制御基板４０は、先ず、三方弁２３及び三方弁３７を駆動制御する。三方弁２３は、２３Ａ―２３Ｂ：閉、２３Ａ―２３Ｃ：開となる。三方弁３７は、３７Ａ―３７Ｂ―３７Ｃにおいて常時開である。また、制御基板４０から排水ユニット３の電装基板６１に向けて、三方弁６０の制御情報が出力される。電装基板６１の制御部７８は、受信した制御情報に従い、三方弁６０を駆動制御する。三方弁６０は、６０Ａ―６０Ｂ：閉、６０Ａ―６０Ｃ：開となる。
【００３９】
そして、制御基板４０は、自吸ポンプ３９を駆動し、且つ追焚用バーナを点火する。浴槽７内の湯は、給湯器２との間を循環しながら、追焚用熱交換器４２によって再加熱される。サーミスタ４６によって検知される湯の戻り温度が予め設定された所定温度に達した場合、制御基板４０は追焚用バーナを消火し、且つ自吸ポンプ３９を停止させる。このようにして、浴槽７内の湯の追い焚きが行われる。
【００４０】
［ドレン排出動作］
ドレンタンク５１内の水位が所定水位以上になった場合、制御基板４０は、上記給湯動作及び追焚動作がいずれも停止している時間において、ドレン排出動作を開始する。制御基板４０は、先ず、三方弁２３及び三方弁３７を駆動制御する。三方弁２３は、２３Ａ−２３Ｂ：開、２３Ａ−２３Ｃ：閉となる。三方弁３７は、３７Ａ―３７Ｂ：開、３７Ａ―３７Ｃ：閉となる。さらに、制御基板４０から排水ユニット３の電装基板６１に向けて、三方弁６０の制御情報が出力される。電装基板６１の制御部７８は、受信した制御情報に従い、三方弁６０を駆動制御する。三方弁６０は、６０Ａ―６０Ｂ：開、６０Ａ―６０Ｃ：閉となる。
【００４１】
そして、制御基板４０は、自吸ポンプ３９を駆動する。すると、ドレンタンク５１内のドレンは回収管５２を流れて、三方弁２３から注湯管２２に流入する。注湯管２２を流れたドレンは、三方弁３７の開口３７Ｂから追焚部１７に流入する。ドレンは、第２戻り管３８、追焚用熱交換器４２、往き管４３を流れ、往き口２Ｂを介して配管９４に流れる。配管９４に流れた湯は、三方弁６０の開口６０Ａ−６０Ｂの流路を流れ、排出管６６を介して排水パン９に排出される。これにより、給湯システム１は、給湯器２で生成したドレンを適切に外部に排出できる。
【００４２】
次に、既設の給湯システムに、本実施形態の排水ユニット３を取り付け、給湯システム１に改良する際の取付工事について説明する。図３に示す給湯システム１００は、潜熱回収型の給湯器２の制御基板４０に対して、台所リモコン４と、風呂リモコン５とが、第１〜第３信号線路１１〜１３を用いて夫々接続されたものである。このような給湯システム１００に対して、図２に示す排水ユニット３を取り付ける際に、工事業者は下記取付工事を行う。
【００４３】
工事業者は、先ず、排水ユニット３を浴槽７の外側面に取付金具（図示略）を用いて取り付けると共に、排水ユニット３の開口６０Ａに配管９４を接続し、開口６０Ｂに排出管６６を接続し、開口６０Ｃにバイパス管６７を接続する（本発明の「ユニット取付工程」に相当）。なお、図１では、説明の便宜上、排水ユニット３は浴槽７の外側面から離して図示している。
【００４４】
次いで、図２に示すように、本実施形態の排水ユニット３は、ハウジング３Ａから外部に突出する４芯ケーブル６２を備えている。４芯ケーブル６２の外部に突出する端部からは、２系統の信号線路を夫々構成する４本の信号線７２〜７５が引き出されている。なお、本実施形態では、信号線７２，７３で１系統、信号線７４，７５で１系統の信号線路を夫々構成している。そこで、工事業者は、給湯器２の制御基板４０と風呂リモコン５を接続する信号線路を分断し、第１信号線路１１と第３信号線路１３に夫々分ける（本発明の「切断工程」に相当）。
【００４５】
次いで、図２に示すように、４芯ケーブル６２から引き出された２系統の信号線路のうち一方である信号線７２，７３を、一対の圧着端子９６を介して、給湯器２の制御基板４０から引き出された第１信号線路１１に接続し、他方である信号線７４，７５を、一対の圧着端子９７を介して、風呂リモコン５から引き出された第３信号線路１３に接続する（本発明の「接続工程」に相当）。このような簡単な作業で、排水ユニット３を取り付けることができる。
【００４６】
これに対し、図４に示す従来の取付工事では、別部品である中継ハーネス１３０を用いなければならないので、配線接続箇所が多くて面倒で、且つ運搬の手間もかかる。本実施形態の給湯システム１では、排水ユニット３から引き出された２系統の信号線路を、給湯器２の制御基板４０と風呂リモコン５とに夫々接続するだけでよいので、従来に比して取付工事をより簡単に行うことができ、且つ工事現場に別部品を運搬する手間を無くすことができる。
【００４７】
以上説明したように、本実施形態の給湯システム１は、潜熱回収型の給湯器２、台所リモコン４、風呂リモコン５に加え、排水ユニット３、システム内の湯を循環させて追い焚きする流路、浴槽７に給湯する流路、給湯器２で生じたドレンを排水ユニット３に流して排出するドレン流路等を備える。給湯器２は、熱交換で生じたドレンを中和器５０で中和した後、ドレンタンク５１に一旦貯留する。ドレンタンク５１内の水位が所定レベルに達した場合に、給湯器２の制御基板４０の指示に基づき、排水ユニット３に設けられた三方弁６０を駆動させることによって、ドレンが浴槽７下の排水パン９に排水されるようになっている。
【００４８】
制御基板４０は台所リモコン４及び風呂リモコン５に対して、シリアル通信可能である。排水ユニット３は、ハウジング３Ａ、電装基板６１、４芯ケーブル６２を備える。電装基板６１はハウジング３Ａ内に設けられ、制御基板４０からの指示に基づき、三方弁６０の駆動を制御する。４芯ケーブル６２は、電装基板６１に接続され、一部がハウジング３Ａ外に突出している。その突出する一端部からは、二系統の信号線路（信号線７２と７３の一組、信号線７４と７５の一組）が夫々引き出されている。そして、二系統の信号線路のうち一方の信号線路（信号線７２と７３）は、給湯器２の制御基板４０から引き出された第１信号線路１１に接続され、他方の信号線路（信号線７４と７５）は、風呂リモコン５から引き出された第３信号線路１３に接続されている。さらに、ハウジング３Ａ内では、一方の信号線路（信号線７２と７３）と、他方の信号線路（信号線７４と７５）が、第１コネクタ９１及び第２コネクタ９２において、カシメによって互いに接続されている。そして、第１コネクタ９１及び第２コネクタ９２は、電装基板６１の第１基板側コネクタ８３及び第２基板側コネクタ８４に夫々接続されている。これにより、給湯器２の制御基板４０は、排水ユニット３の電装基板６１、及び風呂リモコン５に対して並列に夫々接続できる。
【００４９】
例えば、図３に示す既設の給湯システム１００に、排水ユニット３を取り付け、上記給湯システム１を構成する場合、工事業者は配線接続工事を行う必要がある。上述のように、排水ユニット３のハウジング３Ａから外部に突出する４芯ケーブル６２の端部からは、４本の信号線７２〜７５が引き出されている。信号線７２，７３で一系統、信号線７４，７５で一系統の信号線路を構成している。工事業者は、これら２系統の信号線路のうち一方である信号線７２，７３を、一対の圧着端子９６を介して、給湯器２の制御基板４０から引き出された第１信号線路１１に接続し、他方である信号線７４，７５を一対の圧着端子９７を介して、風呂リモコン５から引き出された第３信号線路１３に接続する。これにより、工事業者は、従来に比して取付工事をより簡単に行うことができ、工事現場に別部品を運搬する手間を無くすことができる。
【００５０】
上記説明において、ドレンタンク５１が本発明の「タンク」に相当し、配管９３、第１戻り管３６、第２戻り管３８、往き管４３、配管９４、及びバイパス管６７の流路が本発明の「湯を循環させる流路」に相当し、注湯管２１，２２、第１戻り管３６、配管９３、第２戻り管３８、往き管４３、配管９４、及びバイパス管６７の流路が本発明の「浴槽に給湯する流路」に相当し、回収管５２、注湯管２２、第２戻り管３８、往き管４３、配管９４及び排出管６６の流路が本発明の「ドレン流路」に相当し、三方弁６０、三方弁３７が本発明の「流路切替え弁」に相当し、制御基板４０が本発明の「制御部」に相当し、三方弁６０が本発明の「排水切替え弁」に相当し、風呂リモコン５が本発明の「リモコン装置」に相当し、電装基板６１が本発明の「ユニット制御部」に相当し、信号線７２，７３及び信号線７４，７５が本発明の「二系統の信号線路」に相当し、第１コネクタ９１及び第２コネクタ９２が本発明の「接続部」に相当し、排出管６６が本発明の「排出流路」に相当する。
【００５１】
なお、本発明は上記実施形態に限定されるものではなく、種々の変更が可能である。例えば、上記実施形態では、第１コネクタ及び第２コネクタを、第１基板側コネクタ及び第２基板側コネクタに接続する態様であったが、第１コネクタ９１及び第２コネクタ９２のコネクタ形状は特に限定されるものではない。例えば、電装基板６１に端子台を設け、その端子台に対し、先端に丸端子やＹ端子を取り付けた２本の信号線を取り付けて分岐させてもよい。
【００５２】
また、上記実施形態では、台所リモコン４と風呂リモコン５を併せ持つ給湯システム１であるが、何れか一方だけでもよい。また、排水ユニット３を用いることによって、制御基板４０を排水ユニット３と風呂リモコン５に対して並列に取り付けているが、排水ユニット３と台所リモコン４に対して並列に取り付けるようにしてもよい。
【００５３】
また、上記実施形態では、１本の４芯ケーブル６２を排水ユニット３に設けているが、２芯のケーブルを２本にして、排水ユニット３に設けてもよい。さらには、ケーブルを用いることなく、４本の信号線をハウジング３Ａから引き出すようにしてもよい。
【符号の説明】
【００５４】
１          給湯システム
２          給湯器
３          排水ユニット
３Ａ    ハウジング
４          台所リモコン
５      風呂リモコン
７          浴槽
９      排水パン
１１    第１信号線路
１１Ａ，１１Ｂ    信号線
１３      第３信号線路
１３Ａ，１３Ｂ    信号線
２１，２２      注湯管
２３    三方弁
３６    第１戻り管
３７    特殊三方弁
３８    第２戻り管
４０    制御基板
４３    往き管
５０    中和器
５１    ドレンタンク
５２    回収管
５３    逆止弁
６０    三方弁
６１    電装基板
６２    ４芯ケーブル
６６    排出管
６７    バイパス管
７２〜７５      信号線
９１    第１コネクタ
９２    第２コネクタ
９３，９４      配管
【図１】
2015010720.tif 000003
【図２】
2015010720.tif 000004
【図３】
2015010720.tif 000005
【図４】
2015010720.tif 000006